(57)【特許請求の範囲】
【請求項１】
伸縮性を有する糸で編成された、ウエスト部から股までの腹部および背側を被覆するパンティ部と、膝上までの脚部を被覆するレッグ部を有する下半身用のインナー・ウェアであり、
伸縮性を有するベース領域と伸縮性が前記ベース領域の伸縮性よりも小さい低伸縮性領域を有し、該インナー・ウェアにおけるウエスト部、三角形状腹部および２つのテーピング状部が前記低伸縮性領域であり、前記三角形状腹部はウエスト部の下辺を底辺とする逆三角形状であり、前記テーピング状部はウエスト部の下辺の左右脇部から下方に延び、背側を通って股下で内腿側に廻り込み、内腿に沿ってレッグ部の下端部まで達しており、前記低伸縮性領域以外の部分が前記ベース領域であることを特徴とするインナー・ウェア。
【請求項２】
前記低伸縮性領域が、地糸と添糸とによる添糸編と、地糸による平編とタック編とからなり、前記三角形状腹部およびテーピング状部においては添糸編における添糸がカットボス編により、三角形状腹部またはテーピング状部とベース領域との境界で切断された状態で三角形状腹部およびテーピング状部に挿入されていることを特徴とする請求項１記載のインナー・ウェア。
【請求項３】
前記添糸が鞘糸と該鞘糸よりも太い芯糸とからなることを特徴とする請求項２記載のインナー・ウェア。
【請求項４】
前記三角形状腹部または前記テーピング状部には合成樹脂またはゴムによる被覆層が形成されていることを特徴とする請求項１〜３のいずれか１項に記載のインナー・ウェア。
【発明の詳細な説明】
【技術分野】
【０００１】
本発明は下半身用のインナー・ウェアに関し、特に身体に密着して着用する下半身用インナー・ウェアに関するものである。
【背景技術】
【０００２】
従来、身体に密着して着用する下半身用インナー・ウェアとしてはガードルがよく知られており、一般にガードルは腹部、臀部、大腿部等を押え付けて、腹部を引っ込ませたり、ヒップを持ち上げて臀部に丸みを持たせたりと、体型補正を目的として利用されている。
【０００３】
また、特開２００１−１９２９０３号公報（特許文献１）に開示されているように、身体に密着して着用され、身体の筋肉に緊締力を付与して、緊締力により筋肉をサポートし、筋肉の疲労の軽減やスポーツ障害の防止を目的とするインナー・ウェアも知られている。
【０００４】
特開２０１２−１５８８５２号公報（特許文献２）には、臀部と大腿部背面に伸長抑制領域を設けたボトム衣類が開示されている。このボトム衣類を着用することで、歩行や階段昇降等の動作に対して伸長抑制領域が負荷を与え、これにより歩行時等により消費されるカロリーを増加させることができると開示されている。
【０００５】
特許第４５６８１３４号公報（特許文献３）には、身体の骨格を動かす筋肉を外側から覆う布地が、筋肉の筋繊維に沿った方向の伸縮性よりも筋繊維を横切る方向の伸縮性を低くして構成されている痩身用パンツが開示されている。この痩身用パンツを着用した状態でユーザが運動すると、筋肉が収縮する際に、筋肉に負荷が加わることになり、これにより、エネルギーの消費が促進され、効果的な痩身を行うことができると開示されている。
【０００６】
特許第５５２６４０９号公報（特許文献４）には、着用者のジャコビー線に対応する部分に沿い、パンティ部の左右の外側面にある着用者の大転子部に対応する部分をそれぞれ通り、左右の太ももの後面をそれぞれ経由して、着用者の左右の太ももの内側上顆部に対応する部分にそれぞれ延在する第１の強伸縮部と、パンティ部の左右の外側面にある着用者の腸骨稜に対応する部分から、パンティ部の着用者の臍点に対応する部分の下方で交差し、左右の太ももの前面をそれぞれ経由して、左右の太ももの外側面にある着用者の外側上顆部に対応する部分までそれぞれ延在する第２の強伸縮部と、着用者の臀溝に対応する部分に沿い、左右の太ももの外側面及び前面をそれぞれ経由して、左右の太ももの内側面にある前記内側上顆部に対応する部分にそれぞれ延在する第３の強伸縮部と、を有し、第１の強伸縮部、第２の強伸縮部及び第３の強伸縮部の伸縮抵抗が、ベース生地の伸縮抵抗と比較して大きいインナー・ウェアが開示されている。
【０００７】
また、特許文献４には、第１の強伸縮部は太ももの後面において、太もも外側面から内側面にかけて張架されることにより、着用者による踏み出しやもも上げの際に運動方向に対して抵抗になること、第２の強伸縮部及び第３の強伸縮部は、太もも２１の前面において、交差して張架されることにより、着用者による蹴り出しの際に運動方向に対して抵抗になること、第３の強伸縮部は、着用者の臀溝に沿って配設されることにより、ヒップアップの補整効果を具備することが開示されている。
【０００８】
更に、特許文献４には、特に、第１の強伸縮部、第２の強伸縮部及び第３の強伸縮部の延在方向（流れ）については、着用者の脚の動きに対して大きな寸法変化が生じるように配設しており、第１の強伸縮部、第２の強伸縮部及び第３の強伸縮部の伸長抵抗が、着用者のエネルギー消費量を増加させることを意図していることが開示されている。
【先行技術文献】
【特許文献】
【０００９】
【特許文献１】特開２００１−１９２９０３号公報
【特許文献２】特開２０１２−１５８８５２号公報
【特許文献３】特許第４５６８１３４号公報
【特許文献４】特許第５５２６４０９号公報
【発明の概要】
【発明が解決しようとする課題】
【００１０】
特許文献２〜４に開示されているように、痩身やメタボリックシンドロームの対策として、身体に密着し、運動方向に伸び難い部分を有するインナー・ウェアを着用して運動を行い、運動時にインナー・ウェアにより負荷を加えることにより着用者のエネルギー消費量を増加させることが提案されている。
【００１１】
しかし、このようなインナー・ウェアを着用しても、軽度の運動では余り効果がでにくい。また、充分に運動を行って効果が出た場合でも、痩せやすい部位から痩せてゆき、痩せ難い部位はなかなか痩せない（皮下脂肪が落ちない）という問題がある。
【００１２】
特に、女性の場合、内腿，臀部下端，下腹部（臍の下の腹部）に皮下脂肪が付きやすく、これらの部位は運動しても筋肉が余り動かず、いったん皮下脂肪が付くと、皮下脂肪が落ち難いという問題がある。
【００１３】
本発明は、このような従来の問題点を解消し、着用した状態で軽度の運動を行うことにより、皮下脂肪を燃焼させることが可能なインナー・ウェアを提供することを目的とする。
【課題を解決するための手段】
【００１４】
本発明は、伸縮性を有する糸で編成された、ウエスト部から股までの腹部および背側を被覆するパンティ部と、膝上までの脚部を被覆するレッグ部を有する下半身用のインナー・ウェアであり、伸縮性を有するベース領域と伸縮性が前記ベース領域の伸縮性よりも小さい低伸縮性領域を有し、該インナー・ウェアにおけるウエスト部、三角形状腹部および２つのテーピング状部が前記低伸縮性領域であり、前記三角形状腹部はウエスト部の下辺を底辺とする逆三角形状であり、前記テーピング状部はウエスト部の下辺の左右脇部から下方に延び、背側を通って股下で内腿側に廻り込み、内腿に沿ってレッグ部の下端部まで達しており、前記低伸縮性領域以外の部分が前記ベース領域であることを特徴とするインナー・ウェアにより前記目的を達成する。
【００１５】
本発明において、前記低伸縮性領域が、地糸と添糸とによる添糸編と、地糸による平編とタック編とからなり、前記三角形状腹部およびテーピング状部においては添糸編における添糸がカットボス編により、三角形状腹部またはテーピング状部とベース領域との境界で切断された状態で三角形状腹部およびテーピング状部に挿入されていることが好ましい。
【００１６】
また、前記添糸が鞘糸と該鞘糸よりも太い芯糸とからなることが好ましい。
【００１７】
本発明において、前記三角形状腹部または前記テーピング状部には合成樹脂またはゴムによる被覆層が形成されていてもよい。
【発明の効果】
【００１８】
本発明の下半身用のインナー・ウェアは、伸縮性を有する糸で編成されているので、身体に密着するものである。本発明のインナー・ウェアは伸縮性を有するベース領域と伸縮性が前記ベース領域の伸縮性よりも小さい低伸縮性領域を有する。ベース領域は小さな力でも伸び易く、低伸縮性領域はベース領域よりも伸び難く、伸ばすためにはより大きな力（すなわち、パワー）を必要とする。すなわち、本発明のインナー・ウェアを着用している状態では、低伸縮性領域はベース領域よりも身体により強く密着する（すなわち、加圧する）。
【００１９】
本発明によれば、インナー・ウェアにおけるウエスト部、三角形状腹部および２つのテーピング状部を前記低伸縮性領域としており、前記三角形状腹部はウエスト部の下辺を底辺とする逆三角形状であり、前記テーピング状部はウエスト部の下辺の左右脇部から下方に延び、背側を通って股下で内腿側に廻り込み、内腿に沿ってレッグ部の下端部まで達している。すなわち、低伸縮性領域である三角形状腹部とテーピング状部はウエスト部に繋がっている。このため、骨盤が動くと、連動してウエスト部、三角形状腹部および２つのテーピング状部が動き、これらの低伸縮性領域が密着している身体の筋肉や皮下脂肪を動かす。このように、皮下脂肪を動かすことにより、皮下脂肪の燃焼（エネルギー消費）を行なわせることができる。
【００２０】
本発明によれば、インナー・ウェアの２つのテーピング状部がウエスト部の下辺の左右脇部から下方に延び、背側を通って股下で内腿側に廻り込み、内腿に沿ってレッグ部の下端部まで達するように配置されているので、着用者の内腿と臀部下端部の皮下脂肪と筋肉に働きかける。また、インナー・ウェアの三角形状腹部が着用者の下腹部に作用する。
【００２１】
一方、着用者の臀部および大腿の前側および外側に対応するインナー・ウェアの部分は伸縮し易いベース領域としているので、臀部の筋肉および大腿の前側および外側の筋肉の動きが妨げられず、運動を行い易い。
【００２２】
本発明のインナー・ウェアを着用することにより、ウォーキングや自転車こぎ等の軽度の運動でも、皮下脂肪がついて重い体部位（内腿、臀部下端部および下腹部）を骨盤の動きに連動して動かして、従来はなかなか落ちなかった皮下脂肪を燃焼させることができる。
【００２３】
本発明において、前記低伸縮性領域を、地糸と添糸とによる添糸編と、地糸による平編とタック編として、前記テーピング状部においては添糸編における添糸がカットボス編によりテーピング状部とベース領域との境界で切断された状態でテーピング状部に挿入することにより、ウェール方向（編組織の縦方向）にもコース方向（編組織の横方向）にも伸縮性を低くすることができる。
【００２４】
添糸として鞘糸とこの鞘糸よりも太い芯糸とから糸を使用すると、より伸縮性を低くすることができる。
【００２５】
また、三角形状腹部または前記テーピング状部には合成樹脂またはゴムによる被覆層を形成すると、伸縮性をより一層低くすることができる。
【図面の簡単な説明】
【００２６】
【図１】本発明のインナー・ウェアの正面図である。
【図２】本発明のインナー・ウェアの背面図である。
【図３】本発明のインナー・ウェアを着用した状態であり、図３（ａ）は正面図、図３（ｂ）は背面図、図３（ｃ）は側面図である。
【図４】本発明のインナー・ウェアにおけるテーピング状部の編組織の一例を示す図である。
【図５】本発明のインナー・ウェアと他のパンツとの比較をするための着用実験のデータを示すグラフであり、図５（ａ）はエネルギー消費量と運動段階との関係を測定したものであり、図５（ｂ）は図５（ａ）におけるＢＣ（運動前の状態）を統一して１００とした状態で示した相対エネルギー消費量を示すグラフである。
【図６】図５の着用実験における脂質消費に関するデータを示すグラフであり、図６（ａ）は脂質消費量と運動段階との関係を測定したものであり、図６（ｂ）は図６（ａ）におけるＢＣ（運動前の状態）を統一して１００とした状態で示した相対脂質消費量を示すグラフである。
【発明を実施するための形態】
【００２７】
以下、図面に示した実施例に基づいて本発明を詳細に説明する。
【００２８】
図１および図２に示すように、本発明のインナー・ウェアは伸縮性を有する糸で編成され、ウエスト部１から股２までの腹部３および背側を被覆するパンティ部Ｐと、膝上までの脚部を被覆するレッグ部Ｌを有する下半身用のインナー・ウェアである。図示した実施例は５分丈のパンツである。
【００２９】
本発明のインナー・ウェアは、伸縮性を有するベース領域（図１〜図３では白地で示した）と、伸縮性が前記ベース領域の伸縮性よりも小さい低伸縮性領域（図１〜図３では斜線を施して示した）を有している。インナー・ウェアにおけるウエスト部１、三角形状腹部３ａおよび２つのテーピング状部４が低伸縮性領域である。ベース領域は低伸縮性領域以外の部分であり、腹部３の白地部分（腹部ベース領域）、臀部ベース領域６および脚部ベース領域７である。
【００３０】
三角形状腹部３ａはウエスト部１の下辺１ａを底辺とする逆三角形状であり、逆三角形状の頂点は股２より上方（好ましくは２〜７ｃｍ上方）として、インナー・ウェアを着用した際に三角形状腹部３ａが鼠径部を圧迫しないようにすることが好ましい。
【００３１】
テーピング状部４はウエスト部１の下辺１ａの左右脇部から下方に延び、背側を通って股下２で内腿側に廻り込み、着用者の内腿に対応する部分に沿ってレッグ部Ｌの下端部５まで達している。好ましくは、本発明のインナー・ウェアを着用した状態で、テーピング状部４は、ウエスト部１の脇部から着用者の腸骨稜を避けながら背側へ回り込み、大臀筋を覆わないように避けながら、内腿へと向かい、大腿部内側の内側広筋・縫工筋の筋腹と、一部の半膜様筋・半腱様筋の停止腱を覆う。
【００３２】
また、テーピング状部４の幅は、ウエスト部１の下辺１ａからレッグ部Ｌの下端部５まで同じ幅でもよいが、ウエスト部１の下辺１ａにおける幅から股２により少し上の高さまで同じ幅で（或いは、幅をやや狭めながら）延び、そこから幅を広げて内腿に沿ってレッグ部Ｌの下端部５まで延びるようにすることが好ましい。テーピング状部４の幅は、ウエスト部１の下辺１ａの位置で５〜８ｃｍ程度、着用者の内腿に対応する部分では５〜１２ｃｍ程度であることか好ましい（なお、ここで言う幅はインナー・ウェアに張力を掛けない状態で測るコース方向の幅である）。
【００３３】
図１〜図３において白地で示したベース領域は伸縮性を有する編糸（地糸）で平編で編成されている。前述したようにテーピング状部４がウエスト部１の下辺１ａの左右脇部から下方に延び、背側を通って股下２で内腿側に廻り込み、着用者の内腿に対応する部分に沿ってレッグ部Ｌの下端部５まで達しているだけであるので、図２に示すように、背側においてウエスト部１の下辺から股２までの間の中央部分は伸縮性を有するベース領域（臀部ベース領域６）であり、図３に示すように、本発明のインナー・ウェアを着用した状態では着用者の臀部は伸縮性を有する臀部ベース領域６で覆われる。
【００３４】
また、図１および図３（ａ）に示すように、パンティ部Ｐの前側（正面側）においては、三角形状腹部３ａ以外の腹部３は伸縮性を有する腹部ベース領域であり、着用した状態では着用者の腹部を締め付けない。レッグ部Ｌの前側（正面側）においては、テーピング状部４が内腿側に存在するだけで、他の部分は伸縮性を有するベース領域（脚部ベース領域７）であり、着用者の大腿の前側および外側は伸縮性を有する脚部ベース領域７で覆われる。
【００３５】
このように、本発明のインナー・ウェアを着用した場合、着用者の臀部および大腿の前側および外側に対応するインナー・ウェアの部分は伸縮し易い臀部ベース領域６および脚部ベース領域７としているので、臀部の筋肉および大腿の前側および外側の筋肉の動きが妨げられず、運動を行い易い。
【００３６】
また、図１〜図３において斜線を施して示した低伸縮性領域１、３ａ、４はベース領域の伸縮性よりも小さければよく、本発明の実施例においては、低伸縮性領域のウエスト部１は地糸による平編とタック編とから編成されており、三角形状腹部３ａおよびテーピング状部４は、地糸と添糸とによる添糸編と、地糸による平編とタック編とから編成されている。
【００３７】
三角形状腹部３ａおよびテーピング状部４においては、添糸編における添糸が三角形状腹部３ａまたはテーピング状部４とベース領域との境界で切断されるカットボス編により、三角形状腹部３ａおよびテーピング状部４に挿入されている。
【００３８】
図４は三角形状腹部３ａまたはテーピング状部４の編組織の一実施例の１リピートを示しており、符号〇は地糸と添糸とによるカットボス編の編目を表わし、符号×はタック編の編目を表わし、符号□は平編の編目を表わす。例えば４口給糸の場合、第１と第３フィーダーでは地糸と添糸が給糸され、第２と第４フィーダーでは地糸が給糸される。第１と第３フィーダーで給糸された地糸と添糸は２本一緒に平編目で編成され、第２と第４フィーダーで給糸された地糸は平編とタックが交互して編成される。タックした箇所の糸は編針のフックまたは針幹にかけたままで編針とともに移動し、次コースの編成時に編まれる（すなわちニューループ（編目）をつくる）。図４に示した実施例ではカットボス編の際に地糸および添糸と一緒にタックした箇所の糸が編まれる。
【００３９】
本発明ではタック編を使用しているため、伸び難い編組織となっている。また、タック編を１コースおきに入れた場合、全部平編で編成した場合よりもウェール方向に長さが短くなる。従って、インナー・ウェアの腹側は三角形状腹部３ａにタック編が使用されているので、背側よりも股上の長さが短くなり、ウエスト部１は後側が高く、前側が下がる。このため、着用した際にも、圧迫刺激に対して敏感な部位を避けられるので、ウエスト部１による締め付け感が少ない。
【００４０】
本発明の一実施例では、ウエスト部１がダブルウェルト編成で袋状になっており、ウエスト部１の内側（着用者の肌に接する側）は地糸で平編目のみで編成され、ウエスト部１の外側は地糸で平編とタック編とで編成される。ウエスト部１がダブルウェルト編成で編まれて２重になっており、タック編も入っているので、ウエスト部１はベース領域よりも低伸縮性である。
【００４１】
レッグ部Ｌの下端部５の編組織は特に限定されないが、地糸のみで編成し、着用者の脚を強く締め付けないようにすることが好ましい。例えば、平編とフロート編とを交互に行い、ゴム編風に編んで、コース方向（横方向）に伸び易くしてもよい。
【００４２】
地糸は伸縮性を有する編糸であればよく、例えば、ウーリーナイロンやシングルカバードヤーン（ＳＣＹ）、ダブルカバードヤーン（ＤＣＹ）などが適している。地糸に使用するカバードヤーンの場合、ポリウレタン弾性糸などの細番手の弾性糸を芯糸としてこれより太番手のナイロン等の長繊維を鞘糸として巻き付けたものが伸縮性がよいので好ましい。
【００４３】
これに対して、添糸編における添糸がカバードヤーンの場合、鞘糸よりも芯糸が太く、その芯糸が地糸の芯糸よりも太いことが好ましい。
【００４４】
本発明の下記実施例における糸使いは次の通りであった。
（Ａ）  幅広テーピング状部４（ウエスト部１の下辺１ａの位置で７ｃｍ、内腿の部分では１０ｃｍ）を有する８０ｄ（デニール）インナー・ウェアの場合
…ベース領域の編糸（地糸）は２０ｄ（デニール）のポリウレタンを芯糸とし、７０ｄ（デニール）／６８ｆ（フィラメント）ナイロンを鞘糸としたシングルカバードヤーン（ＳＣＹ）
…カットボス編における添糸は７０ｄのポリウレタンを芯糸とし、３０ｄナイロンを鞘糸としたシングルカバードヤーン（ＳＣＹ）
（Ｂ）  パワーアップテーピング状部４（ウエスト部１の下辺１ａの位置で５ｃｍ、内腿の部分では５ｃｍ）を有する８０ｄインナー・ウェアの場合
…ベース領域の編糸（地糸）は２０ｄのポリウレタンを芯糸とし、７０ｄ／６８ｆナイロンを鞘糸とした８０ｄのシングルカバードヤーン（ＳＣＹ）
…カットボス編における添糸は１２０ｄのポリウレタンを芯糸とし、４０ｄのナイロンを二重に巻き付けたダブルカバードヤーン（ＤＣＹ）
（Ｃ）  幅広テーピング状部４（ウエスト部１の下辺１ａの位置で７ｃｍ、内腿の部分では１０ｃｍ）を有する１１０ｄインナー・ウェアの場合
…ベース領域の編糸（地糸）は３０ｄのポリウレタンを芯糸とし、１００ｄ／９６ｆナイロンを鞘糸としたシングルカバードヤーン（ＳＣＹ）
…カットボス編における添糸は７０ｄのポリウレタンを芯糸とし、３０ｄナイロンを鞘糸としたシングルカバードヤーン（ＳＣＹ）
（Ｄ）  パワーアップテーピング状部４（ウエスト部１の下辺１ａの位置で５ｃｍ、内腿の部分では５ｃｍ）を有する１１０ｄインナー・ウェアの場合
…ベース領域の編糸（地糸）は３０ｄのポリウレタンを芯糸とし、１００ｄ／９６ｆナイロンを鞘糸としたシングルカバードヤーン（ＳＣＹ）
…カットボス編における添糸は１２０ｄのポリウレタンを芯糸とし、４０ｄのナイロンを二重に巻き付けたダブルカバードヤーン（ＤＣＹ）
前述した実施例の場合、カットボス編とタック編により伸縮性を低くしているが、更に伸縮性を低くするために三角形状腹部３ａおよびテーピング状部４に弾力性を有する合成樹脂またはゴムにより被覆層を形成してもよい。被覆層を形成する場合、塗布またはプリントにより形成することが好ましい。弾力性を有する合成樹脂としては例えばシリコンやポリウレタンなどがある。
【００４５】
本発明のインナー・ウェアの効果を検証した。
【００４６】
本発明のインナー・ウェアは先の（Ａ）および（Ｃ）の実施例のインナー・ウェア（以下、Ａのものを弱圧パンツと称し、Ｃのものを強圧パンツと称する）と、身体に密着しない通常のハーフパンツと、ベース領域を編成する地糸〔２０ｄのポリウレタンを芯糸とし、７０ｄ／６８ｆナイロンを鞘糸としたＳＣＹ〕で全体を編成したインナー・ウェア（以下、ベースパンツと称する）を着用して運動を行い、エネルギー消費量と脂質消費量を測定し、比較検討した。
【００４７】
被験者は健康な５０代の女性であった。被験者には，測定前夜７時間以上の睡眠を取らせた。朝食（規定食）を７時３０分までに摂食させ、人工気象室（環境温度：２４．５℃，相対湿度：５０．０％）に入室させた。椅座位安静１時間経過後、半袖でハーフパンツに着替え、１１時３０分に呼吸代謝を４日間４回測定した。運動負荷は自転車エルゴメーター（ＳＴＢ−１４００、日本光電）を用いて、有酸素運動の範囲内で、６分ずつ５段階（第１〜５段階：運動負荷（Ｗａｔｔ）１０Ｗ、２０Ｗ、３０Ｗ、４０Ｗ、１０Ｗ）で、合計３０分間運動させた。得られた呼吸商から１分間当たりの消費エネルギー量（ｋｃａｌ／ｍｉｎ）を算出し、その由来である糖質と脂質の消費量（ｇ／ｍｉｎ）を求めた。同様にして、ベースパンツ、弱圧パンツおよび強圧パンツを着用して運動し、消費エネルギー量および糖質と脂質の消費量を測定した。
【００４８】
図５（ａ）はこのように測定して得られたエネルギー消費量と運動段階との関係を示すものである。図５において、縦軸に消費エネルギー量をとり、横軸に運動段階をとった。横軸のＢＣは運動前、ＡＣは運動後、１、２、３、４、１′はそれぞれ運動負荷が１０Ｗ、２０Ｗ、３０Ｗ、４０Ｗ、１０Ｗの時である。
【００４９】
図５（ａ）において、白の棒線はハーフパンツを着用した時の測定値であり、黒の棒線はベースパンツを着用した時の測定値、左下がりの斜線を施した棒線は弱圧パンツを着用した時の測定値、右下がりの斜線を施した棒線は強圧パンツを着用した時の測定値である。
【００５０】
図５（ａ）に見られるように、ハーフパンツ、ベースパンツ、弱圧パンツおよび強圧パンツをそれぞれ着用した場合、負荷の掛かっていない運動前の状態ＢＣにおいて各パンツにおける測定値にバラツキがあるので、各パンツの性能を比較し易くするために、図５（ｂ）では図５（ａ）におけるＢＣ（運動前の状態）を統一して１００として換算して、相対エネルギー消費量を示した。
【００５１】
図５（ｂ）からは、どのパンツをはいてもエネルギー消費量はそれほど差がなく、それぞれの運動強度ごとに比較すると、運動強度が強くなる（１０Ｗから４０Ｗへ）ほど，エネルギーが消費されることが分かる。
【００５２】
図６（ａ）は縦軸に脂質消費量をとり、横軸に図５と同じく運動段階をとった。各棒線は図５について説明したものと同じで、白の棒線はハーフパンツを着用した時の測定値であり、黒の棒線はベースパンツを着用した時の測定値、左下がりの斜線を施した棒線は弱圧パンツを着用した時の測定値、右下がりの斜線を施した棒線は強圧パンツを着用した時の測定値である。
【００５３】
図６（ａ）に見られるように、ハーフパンツ、ベースパンツ、弱圧パンツおよび強圧パンツをそれぞれ着用した場合、負荷の掛かっていない運動前の状態ＢＣにおいて各パンツにおける測定値にバラツキがあるので、各パンツの性能を比較し易くするために、図６（ｂ）では図６（ａ）におけるＢＣ（運動前の状態）を統一して１００として換算して、相対脂質消費量を示した。
【００５４】
図６（ｂ）から、ハーフパンツやベースパンツを着用して運動したときよりも、本発明の弱圧パンツや強圧パンツを着用して運動した方が脂肪がよく消費（燃焼）されていることが分かる。
【００５５】
１〜５段階における脂質消費量のトータルでみると、ハーフパンツ、ベースパンツ、強圧パンツ、弱圧パンツの順に、それぞれのＢＣ（運動前）の脂質消費量に対して４０．５８倍、４０．５６倍、１０７．１３倍、１２２．０５倍と驚異的な量の脂肪が燃えていることが分かった。
【００５６】
このように、本発明のインナー・ウェアを着用して運動した場合、エネルギー消費量は従来のハーフパンツと余り差がないが、脂質消費量では従来のハーフパンツを着用した場合よりも倍以上多かった。このことから、消費エネルギーの燃料源が体脂肪であり、従来は落ち難かった部位の体脂肪を落とすことができることを確認できた。
【００５７】
また、他の被験者の結果から、ハーフパンツやベースパンツよりも本発明のインナー・ウェアの方が脂質消費量が多いことが確認できた。筋力の弱い人には弱圧パンツが適し、筋力の強い人には強圧パンツの方が適していることも分かった。
【符号の説明】
【００５８】
１  ウエスト部
１ａ  ウエスト部の下辺
２  股
３ａ  三角形状腹部
４  テーピング状部
５  下端部
Ｐ  パンティ部
Ｌ  レッグ部
【図１】
0006603057.tif 000002
【図２】
0006603057.tif 000003
【図３】
0006603057.tif 000004
【図４】
0006603057.tif 000005
【図５】
0006603057.tif 000006
【図６】
0006603057.tif 000007